(57)【要約】【課題】複数の記録装置を用いた場合であっても、低消費電力であり、かつ記録時及び再生時の記録装置の立ち上げ時間による待ち時間の問題のないコンテンツ記録・再生装置を提供する。【解決手段】記録時には、単一のコンテンツを常時駆動可能な第１記録装置１０と必要に応じて駆動可能な複数の第２記録装置１２、１４、１６の選択された１つに分割記録して、省電力化を図りつつ、かつ、分割記録したコンテンツを特定する情報と共に第１記録装置に分割記録されたデータを特定する情報と、第２記録装置を特定する情報と、第２記録装置に分割記録されたデータを特定する情報をインデックスとして第１記録装置に記録するようにし、再生時には、第１記録装置の先頭部分のデータから再生を開始するとともに、上記インデックスを用いて記録時に選択された第２記録装置の電源をオンとして、その立ち上がりまでは、第１記録装置から再生し、その後第２記録装置から再生するようにした。【選択図】図１
2009193628.tif 000002
【特許請求の範囲】
【請求項１】
外部からデータとして供給されるコンテンツを記録・再生するコンテンツ記録・再生装置であって、
単一のコンテンツの所定時間分の先頭部分を含む一部のみを記録するための第１記録装置と、
前記単一のコンテンツの全体又は、前記第１記録装置に記録される前記単一のコンテンツの一部以外の残りの部分を記録することがそれぞれ可能な複数の第２記録装置と、
前記単一のコンテンツの記録時には、前記先頭部分を前記第１記録装置に記録し、前記先頭部分に続く残りの部分を前記複数の第２記録装置から選択された１つの第２記録装置に記録し、かつ、前記単一のコンテンツを特定する情報と、前記第１記録装置に記録される前記先頭部分を特定する情報と、前記選択された第２記録装置を特定する情報と、前記選択された第２記録装置に記録される前記先頭部分の続き部分を特定する情報とを少なくとも含む情報をインデックスとして前記第１記録装置に記録するよう前記第１記録装置を制御し、前記単一のコンテンツの再生時には前記第１記録装置から前記インデックスの情報を読み出して、前記第１及び第２記録装置からの読出の制御により記録済みコンテンツを連続して再生するよう制御する記録・再生制御手段と、
記録時及び再生時に前記複数の第２記録装置のうち、前記選択された第２記録装置以外の第２記録装置への電源供給を停止するための電源供給制御手段とを、
有するコンテンツ記録・再生装置。
【請求項２】
前記選択された第２記録装置から前記コンテンツが読み出されて再生されている途中で再生動作が停止されたときは、停止時以降の所定時間分のコンテンツを前記選択された第２記録装置から前記第１記録装置へムーブ又はコピーするとともに、前記第１記録装置における前記ムーブ又はコピー先のデータを特定する情報と、前記ムーブ又はコピー元のコンテンツに続く部分の記録されている前記選択された第２記録装置を特定する情報と、前記ムーブ又はコピー元のコンテンツに続く部分を特定する情報とを少なくとも含む情報を前記インデックスとして前記第１記録装置に記録するよう前記第１記録装置を制御し、前記停止時以降のコンテンツの再生が指示されたときは、前記第１記録装置から前記インデックスの情報を読み出して、前記第１及び第２記録装置からの読出の制御により記録済みコンテンツを連続して再生するよう、前記記録・再生制御手段が構成されていることを特徴とする請求項１に記載のコンテンツ記録・再生装置。
【請求項３】
再生時に、前記第１記録装置から読み出される前記選択された第２記録装置を特定する情報により次に読み出すべきデータの記録されている前記選択された第２記録装置の電源をオンとする制御を行うよう、前記電源供給制御手段が構成されていることを特徴とする請求項１又は２に記載のコンテンツ記録・再生装置。
【請求項４】
記録時に、前記記録・再生制御手段が、前記単一のコンテンツの著作権情報がコピーフリーか否かを判断する判断手段を有し、かつ、前記判断手段により記録するコンテンツがコピーフリーであると判断された場合は、前記コンテンツの一部を前記第１記録装置と前記選択された第２記録装置の双方に記録し、前記コンテンツの全体を前記選択された第２記録装置に記録するよう、前記記録・再生制御手段が制御するよう構成されていることを特徴とする請求項１から３のいずれか１つに記載のコンテンツ記録・再生装置。
【発明の詳細な説明】
【技術分野】
【０００１】
本発明は、デジタル放送などにより供給される映像・音声コンテンツを記録・再生するコンテンツ記録・再生装置に関し、特に複数の記録装置を用いたコンテンツ記録・再生装置の改良に関する。
【背景技術】
【０００２】
衛星放送や地上放送によるデジタルコンテンツの放送が本格化しつつある現在、その記録・再生における改善が求められている。すなわち、例えばハイビジョン放送を記録・再生するハイビジョンビデオレコーダの記録装置として用いられているハードディスクの容量は放送番組を録画するたにはテラバイトを超える大容量を要求されている。しかし、単体のハードディスクで斯かる大容量を実現しようとすると、コスト面及び現在の技術レベル面から困難である。
このように単一のハードディスクでは大容量を実現しにくい環境にあるため、複数のハードディスクを使用して、あたかも大容量のハードディスクであるかのように見せかける技術が開発されている（下記の特許文献１及び特許文献２参照）。
【特許文献１】特開２００６−２４４４１３号公報(要約)
【特許文献２】特開平９−２５１３５３３号公報(図３)
【発明の開示】
【発明が解決しようとする課題】
【０００３】
しかしながら、複数のハードディスクを常時駆動すると、結果として全体の消費電力が増大するという問題がある。そこで、使用するハードディスクのみに電力を供給し、使用していないハードディスクをオフとしておくことが考えられる。ところが、使用するハードディスクの電源をオンとしても、直ちに記録データを読み出すことができず、数十秒から数分にわたる一定の立ち上げ時間(スピンアップ時間)が必要である。このため、１つの連続した番組などのコンテンツを分割して複数のハードディスクに記録した場合、ハードディスクの切換の際に上記立ち上げ時間に相当する時間だけ、連続再生が中断されてしまい、ユーザは、その時間だけ待たされてしまうという問題があった。また、複数のハードディスクを使用した場合、所定のコンテンツをどのハードディスクに記録したのかを何らかの方法で記録しておかないと、再生の際に手間取ることとなる。特許文献１では、複数のハードディスクの他にハードディスク特定情報記憶部を設けて、どのコンテンツがどのハードディスクに記憶されたのかという情報を記憶し、再生時にこの情報を用いている。さらに、いったん記録したコンテンツを再生しているときに、再生動作を中止したとき、次回、その中止したところから再生する場合に、やはり上記立ち上げ時間だけ待たされるという問題があった。
【０００４】
本発明は、上記問題を解決し、複数の記録装置を用いた場合であっても、低消費電力であり、かつ記録時及び再生時の記録装置の立ち上げ時間による待ち時間の問題のないコンテンツ記録・再生装置を提供することを第１の目的とする。また、本発明の１つの態様は、いったん記録したコンテンツを再生しているときに、再生動作を中止し、その後、その中止したところから再生する場合に、上記立ち上げ時間による待ち時間の問題のないコンテンツ記録・再生装置を提供することを第２の目的とする。
【課題を解決するための手段】
【０００５】
ユーザは様々な態様の記録・再生を行うので、すべてのユーザのあらゆる要求に対しても即座に動作可能にすることは、結局すべてのデータを常時駆動しているハードディスクに保持することになり、消費電力やコスト面での意味を失う。そこで本発明では、頻繁に発生するパターンに対してのみ対応することで、常時駆動しているハードディスクの数を最低限にしている。上記頻繁に発生するパターンとは、
（ア）録画されたコンテンツを最初から視聴（再生）する場合
（イ）再生を途中で止めた後、もう一度同一コンテンツを先程の続きから視聴（再生）する場合
の２つである。
【０００６】
本発明は、上記第１の目的を達成するため、記録時には、単一のコンテンツを常時駆動可能な第１記録装置と必要に応じて駆動可能な複数の第２記録装置の選択された１つに分割記録して、省電力化を図りつつ、かつ、分割記録したコンテンツを特定する情報と共に第１記録装置に分割記録されたデータを特定する情報と、第２記録装置を特定する情報と、第２記録装置に分割記録されたデータを特定する情報をインデックスとして第１記録装置に記録するようにし、再生時には、第１記録装置の先頭部分のデータから再生を開始するとともに、上記インデックスを用いて記録時に選択された第２記録装置の電源をオンとして、その立ち上がりまでは、第１記録装置から再生し、その後第２記録装置から再生するようにして中断や待ち時間をなくして連続再生するようにしている。
【０００７】
すなわち、本発明によれば、部からデータとして供給されるコンテンツを記録・再生するコンテンツ記録・再生装置であって、
単一のコンテンツの所定時間分の先頭部分を含む一部のみを記録するための第１記録装置と、
前記単一のコンテンツの全体又は、前記第１記録装置に記録される前記単一のコンテンツの一部以外の残りの部分を記録することがそれぞれ可能な複数の第２記録装置と、
前記単一のコンテンツの記録時には、前記先頭部分を前記第１記録装置に記録し、前記先頭部分に続く残りの部分を前記複数の第２記録装置から選択された１つの第２記録装置に記録し、かつ、前記単一のコンテンツを特定する情報と、前記第１記録装置に記録される前記先頭部分を特定する情報と、前記選択された第２記録装置を特定する情報と、前記選択された第２記録装置に記録される前記先頭部分の続き部分を特定する情報とを少なくとも含む情報をインデックスとして前記第１記録装置に記録するよう前記第１記録装置を制御し、前記単一のコンテンツの再生時には前記第１記録装置から前記インデックスの情報を読み出して、前記第１及び第２記録装置からの読出の制御により記録済みコンテンツを連続して再生するよう制御する記録・再生制御手段と、
記録時及び再生時に前記複数の第２記録装置のうち、前記選択された第２記録装置以外の第２記録装置への電源供給を停止するための電源供給制御手段とを、
有するコンテンツ記録・再生装置が提供される。
【０００８】
また、本発明は上記第２の目的達成のため、上記構成に加えて前記選択された第２記録装置から前記コンテンツが読み出されて再生されている途中で再生動作が停止されたときは、停止時以降の所定時間分のコンテンツを前記選択された第２記録装置から前記第１記録装置へムーブ又はコピーするとともに、前記第１記録装置における前記ムーブ又はコピー先のデータを特定する情報と、前記ムーブ又はコピー元のコンテンツに続く部分の記録されている前記選択された第２記録装置を特定する情報と、前記ムーブ又はコピー元のコンテンツに続く部分を特定する情報とを少なくとも含む情報を前記インデックスとして前記第１記録装置に記録するよう前記第１記録装置を制御し、前記停止時以降のコンテンツの再生が指示されたときは、前記第１記録装置から前記インデックスの情報を読み出して、前記第１及び第２記録装置からの読出の制御により記録済みコンテンツを連続して再生するよう、前記記録・再生制御手段が構成されている。
【０００９】
また、再生時に、前記第１記録装置から読み出される前記選択された第２記録装置を特定する情報により次に読み出すべきデータの記録されている前記選択された第２記録装置の電源をオンとする制御を行うよう、前記電源供給制御手段が構成されていることは、本発明の好ましい態様である。
【００１０】
また、記録時に、前記記録・再生制御手段が、前記単一のコンテンツの著作権情報がコピーフリーか否かを判断する判断手段を有し、かつ、前記判断手段により記録するコンテンツがコピーフリーであると判断された場合は、前記コンテンツの一部を前記第１記録装置と前記選択された第２記録装置の双方に記録し、前記コンテンツの全体を前記選択された第２記録装置に記録するよう、前記記録・再生制御手段が制御するよう構成されていることは、本発明の好ましい態様である。
【発明の効果】
【００１１】
本発明によれば、複数の記録装置にコンテンツを分割記録した場合であっても、省電力化を図ることができ、なおかつ、再生時に、記録装置の立ち上げ時間による待ち時間がなく、連続再生が可能なコンテンツ記録・再生装置が提供される。また、本発明の１つの態様によれば、上記効果に加えて、いったん記録したコンテンツを再生しているときに、再生動作を中止し、その後、その中止したところから再生する場合であっても、記録装置の立ち上げ時間による待ち時間がないコンテンツ記録・再生装置が提供される。
【発明を実施するための最良の形態】
【００１２】
以下、図面と共に本発明の実施の形態について説明する。図１は、本発明のコンテンツ記録・再生装置の好ましい実施の形態の構成を示す模式図である。この実施の形態は、第１記録装置としての主ハードディスク（主ＨＤＤ)１０と複数の第２記録装置としての副ハードディスク（副ＨＤＤ）１２、１４、１６と、ＡＴＡ（アドバンスド・テクノロジ・アタッチメント）切替スイッチ１８と、制御部２０と、電源部２２と、電源スイッチ２４、２６、２８とを有している。主ＨＤＤ１０には、後述するインデックスを格納するコンテンツインデックステーブル１０Ａが設けられている。
【００１３】
制御部２０は、外部から入力されるデジタル放送の受信データである番組コンテンツを受け入れるストリーム入力部３０と、ストリーム入力部３０の出力信号に応答しストリームをコピーする、すなわち同一データを複数の記録装置に記録すべく分割する処理を行うストリームコピー部３２と、ストリームコピー部３２の出力信号に応答して２系統の記録信号を制御するＡＴＡ制御部３４、３６と、複数の副ＨＤＤ１２、１４、１６への電源供給を制御する電源制御部３８と、主ＨＤＤ１０や副ＨＤＤ１２、１４、１６から読み出されたコンテンツの映像・音声データを所定の形式の信号として出力する映像音声出力部４０と、ストリームコピー部３２の出力信号に応答してストリームをデコードするストリームデコーダ部４２と、これら各部の動作を制御するＣＰＵ（中央演算処理装置）４４と、ＣＰＵ４４の動作プログラムがあらかじめ格納されたＲＯＭやデータを一時記憶するＲＡＭを含むメモリ４６と、ＡＴＡ切替スイッチ１８を制御するＡＴＡ切替スイッチ制御部４８とを有している。なお、この実施の形態は、デジタル放送を受信して得たコンテンツデータを記録・再生する場合を例にとって説明するが、本発明はデジタル放送などを録画・再生するものに限らず、他の記録媒体や、インターネットやＬＡＮにより供給されたデジタルコンテンツを記録・再生するためのコンテンツ記録・再生装置にも広く利用可能である。デジタル放送の場合、コンテンツデータはＭＰＥＧ２  ＴＳ（トランスポートストリーム）などの高能率符号化されたストリーム形式で供給されることが一般的である。
【００１４】
電源２２は、主ＨＤＤ１０には常時接続され、電源電圧が常時供給されている。なお、必要に応じて主ＨＤＤ１０への電源電圧の供給を停止するためのスイッチを設けてもよい。また電源２２は電源スイッチ２４、２６、２８を介して各副ＨＤＤ１２、１４、１６にそれぞれ接続されていて、各電源スイッチ２４、２６、２８は制御部２０の電源制御部３８からの制御信号によりその動作が制御されている。この構成により、複数のＨＤＤ１２、１４、１６のうち、これから使用する１つが選択されて電源電圧が供給されるのである。
【００１５】
図２は、記録するコンテンツの著作権情報、すなわちコピーをどの程度許可するかを示す情報が、「コピーワンス」の場合の記録態様を模式的に示す図、図３は、記録するコンテンツの著作権情報が、「コピーフリー」の場合の記録態様を模式的に示す図である。「コピーワンス」の場合、コンテンツデータを複数の記録装置や記録媒体に同時に残すことができない。これらの図中、映像音声データの時間的先頭部分５０や後述するレジュームポイント５２、すなわち、映像音声データ中、斜線で示されている部分は、主ＨＤＤ１０に記録される様子が示されている。また、図２では、映像音声データの先頭部分５０に続く部分とレジュームポイント５２に続く部分が副ＨＤＤ１６に記録される様子が示され、図３では、映像音声データの先頭部分５０やレジュームポイント５２を含むすべての部分が副ＨＤＤ１６に記録される様子が示されている。レジュームポイント５２は、いったん記録されたコンテンツを再生している最中に再生が中断された場合の中断点、すなわち、次回再生時の再生開始点を示している。
【００１６】
図４、図５は、本発明の実施の形態における記録時の動作を示すフローチャートである。なお、これらのフローチャートには示されていないが、外部からコンテンツデータのストリームが入力されると、ＣＰＵ４４は、そのコンテンツの著作権情報を判断し、コピーワンスかコピーフリーかを判断し、その判断結果により所定のフラグを立てるものとする。図４は図２の「コピーワンス」の場合のもの、図５は、図３の「コピーフリー」の場合のものである。前述のフラグにより、図４、図５のいずれを実行するかが決定される。まず図４のフローチャートについて説明する。図４において、記録が開始されると、ステップＳ１で、所定の副ＨＤＤ（副ＨＤＤ１２、１４、１６の１つ）を選択してその電源スイッチ（２４、２６、２８の１つ）をオンとして電源を投入する。この選択は、副ＨＤＤ１２、１４、１６のそれぞれの残記憶容量などの情報をＣＰＵ４４が判断して行うが、その選択の結果、電源制御部３８により電源スイッチ２４、２６、２８の１つがオンとされ、ＡＴＡ切替スイッチ制御部４８によりＡＴＡ切替スイッチ１８が選択された副ＨＤＤにＡＴＡ制御部３６からのデータ伝送路を接続する。以下の説明では、副ＨＤＤ１６が選択されているものとする。
【００１７】
次いでステップＳ２で図１のストリーム入力部３０からストリームの取り入れを開始する。この段階では、選択された副ＨＤＤ１６はまだスピンアップしていないので、ＣＰＵ４４は、コンテンツの時間的先頭部分は主ＨＤＤ１０に記録するよう制御する。いま、各副ＨＤＤ１２、１４、１６のスピンアップ時間が２０数秒とすると、安全率を見て主ＨＤＤ１０には、約３０秒間にわたって先頭部分を記録する。次いでステップＳ３でストリームが終了したか否か、あるいはストリームの記録が終了したか否かが判断される。その判断結果がＮＯであれば、ステップＳ４で現在の入力データがストリームの先頭から３０秒以内か否かを判断する。この判断結果がＹＥＳであれば、ステップＳ６で主ＨＤＤ１０に入力データを記録する。一方、ＮＯであれば、ステップＳ５で電源が投入されている副ＨＤＤに入力データを記録する。ステップＳ５又はステップＳ６の終了後は、ステップＳ３に戻る。なお、ステップＳ３でＹＥＳの場合は、記録を終了する。
【００１８】
図５のフローチャートは、次の点でのみ図４のフローチャートと異なる。すなわち、図４のステップＳ６の後にステップＳ７で入力データを電源の投入されている副ＨＤＤ１６に記録し、ステップＳ７の終了後、ステップＳ３へ戻る。なお、この例では、ステップＳ６が先に行われ、その後ステップＳ７が行われるように示されているが、主ＨＤＤ１０と副ＨＤＤ１６へは同時に記録してもよい。
【００１９】
図６は、主ＨＤＤ１０のコンテンツインデックステーブル１０Ａに記録されるインデックスの内容を模式的に示す図である。図６に示すように、インデックスには、記録したコンテンツである映像音声データの数ｎと、記録した各コンテンツである映像音声データ毎に、そのコンテンツを特定する映像音声データ番号と、番組名、チャンネル情報、レジュームポイント、主ＨＤＤコンテンツＩＤ（先頭）と、主ＨＤＤコンテンツ（先頭）サイズ、主ＨＤＤコンテンツＩＤ（レジュームポイント）と、主ＨＤＤコンテンツ（レジュームポイント）サイズ、副ＨＤＤ番号、副ＨＤＤのコンテンツＩＤ（先頭）、副ＨＤＤコンテンツ（先頭の続き）のサイズ、副ＨＤＤコンテンツＩＤ（レジュームポイントの続き）のサイズなどが含まれている。
【００２０】
図７は、図６に示したインデックスの情報のバイト数とそのより具体的な内容を示す図である。主ＨＤＤ１０も副ＨＤＤ１６も、コンテンツＩＤとしては、ファイル名あるいはファイル識別番号を用いている。ファイル名などを知ることにより、図示しない主ＨＤＤ１０内に設けられているＦＡＴ（ファイルアロケーションテーブル）を用いて所望データの記録箇所（アドレス）を知ることができる。したがって、このＩＤは、各情報を特定する情報であり、ファイル名の代わりにその記録箇所を示す情報（アドレス）であってもよい。このインデックスを参照することで、再生時には、次に使用する副ＨＤＤ１６の電源を投入し、その副ＨＤＤから再生可能となるまでの時間は、主ＨＤＤから再生し、結果として連続再生を実現している。
【００２１】
図８は、本発明の実施の形態の再生時の動作を示すフローチャートである。再生が開始されると、ＣＰＵ４４はステップＳ１１で再生すべきストリームが格納された副ＨＤＤ１６を選択して電源を投入するよう制御し、同時にデータ伝送路を接続する。次いでステップＳ１２で今回の再生指示が先頭からの再生を指示するものか否かを判断する。先頭からの再生の場合は、ステップＳ１８へ行き、ＣＰＵ４４は主ＨＤＤ１０からストリームを読み込み再生するよう制御を行う。次いでステップＳ１９で、ＣＰＵ４４は再生が終了したか否かを判断し、終了したと判断されれば、再生を終了し、終了していないと判断されれば、後述するステップＳ１５へ行く。ステップＳ１３で先頭からの再生でない場合、すなわちＮＯの場合は、ＣＰＵ４４はステップＳ１３でレジュームポイントからの再生が求められているか否かを判断する。レジュームポイントからの再生の場合は、ステップＳ１８へ行き、前述と同様の動作を行う。一方、レジュームポイントからの再生でない場合は、ステップＳ１４へ行き、電源が投入された副ＨＤＤ１６のスピンアップ（所定回転数に立ち上がり、再生可能状態となっていること）を待つ。スピンアップとなると、ステップＳ１５でＣＰＵ４４はその副ＨＤＤ１６からストリームを読み込み、再生を行うよう制御する。次いでステップＳ１６で再生が終了したか否かを判断し、終了なら、再生を終了する。終了でない場合は、ステップＳ１７へ行き、ＣＰＵ４４はレジュームポイントか否かを判断し、レジュームポイントであればステップＳ１８へ行く。レジュームポイントでない場合は、ステップＳ１５へ戻る。このように、先頭から再生開始するか、レジュームポイントから再生開始するかのどちらかの場合は、主ＨＤＤ１０から読み出し、そうではない場合は選択された副ＨＤＤ１６が使用可能になるのを待って副ＨＤＤ１６から読み出し再生する。
【００２２】
図９は、コピーワンスの場合の主ＨＤＤ１０と副ＨＤＤ１６へのコンテンツの記録の態様を示す模式図である。同図中、主ＨＤＤ１０と副ＨＤＤ１６の間の上下方向の矢印は、録画するＨＤＤの切替を示している。また、主ＨＤＤ１０と副ＨＤＤ１６のそれぞれに記録されるデータは、映像データと音声データなどが多重化されてできたトランスポートストリームを構成する複数のパケット形式のデータであり、各パケットは、図中において濃く示された網かけ部で示したヘッダ部と、薄く示された網かけ部で示したデータ本体であるペイロード部からなる。ヘッダ部には後述するＡＴＳ（アライバルタイムスタンプ）が格納されている。図９からわかるように、コピーワンスの場合は、選択された副ＨＤＤ１６から読み出す場合も、それが主ＨＤＤ１０に含まれるポイントに達すると、主ＨＤＤ１０に切り替わり読み出しと再生を続行することが必要である。
【００２３】
再生を中断したときは、次回に続きを再生できるようにレジュームポイントの設定（既に設定されているときは、その変更）生じる。すなわち、ユーザが視聴（再生）を試みるたびに新しいレジュームポイントに変わることになる。このレジュームポイントの変更に伴い、主ＨＤＤ１０と選択された副ＨＤＤ１６内のストリームの一部をムーブ（移動）、コピー、削除することが必要になる。この変更に伴う主ＨＤＤ１０と副ＨＤＤ１６のデータのムーブ（移動）が、図１０、図１１に示されている。図１０は、コンテンツの複製ができない（コピーワンス）場合であり、図１１はコンテンツの複製が可能な場合（コピーフリー）を示している。
【００２４】
初めての再生に際しては、主ＨＤＤ１０には先頭部分のストリームだけが記録されている。一度ユーザが再生を行い、レジュームポイントが発生すると、図１０の（２）に示すように副ＨＤＤ１６からレジュームポイントのストリームを切り出して主ＨＤＤ１０へムーブ（移動）する。初めての再生後は、一度のムーブ（移動）で終わるが、２度目以降は、図１０の（３）のように主ＨＤＤ１０の旧レジュームポイントの部分ストリームを副ＨＤＤ１６にムーブ（移動）する処理と、図１０の（４）のように新レジュームポイントの部分ストリームを副ＨＤＤ１６から主ＨＤＤ１０にムーブ（移動）する処理が発生する。主ＨＤＤ１０に格納されたデータのうち、先頭位置からのストリームは編集等で先頭が削除されない限りムーブ（移動）はしない。コピーフリーで、すべてのストリームを副ＨＤＤ１６に記録することができれば、図１１に示すようにレジュームポイントの移動に際して図１０の（３）のような書き戻し作業がないために処理が簡易になる。
【００２５】
デジタル放送を録画する場合、例えばデジタル放送の映像音声データが２０Mbps程度だとすると、３０秒間の映像音声データを主ＨＤＤ１０に保存する場合、約９０Ｍバイトの領域が必要になる。また、先頭部分とレジュームポイントの２箇所で保存する場合は、１８０Ｍバイトが必要となる。この数値は、例えば主ＨＤＤ１０が３００Ｇバイトの場合は、１６６７件の映像音声データ（デジタル放送の番組など）を記録できることになる。もちろん主ＨＤＤ１０を複数台とすれば、消費電力はその分増大するが、録画できる件数はさらに増大する。
【００２６】
映像音声データがＭＰＥＧ２  ＴＳなどの場合、トランスポートストリームのパケット送出時間の再構築のためにＡＴＳ（アライバルタイムスタンプ）が記録時に付加される。このＡＴＳ情報は本来は連続しているデータに対して付加されるべきものだが、本発明においては図９に示すように、映像音声データは最大４分割されて別々のＨＤＤ（すなわち、主ＨＤＤ１０と選択された副ＨＤＤ１６）に格納されるため、それぞれのデータをつなぎ合わせるとＡＴＳが連続していることになる。図９に示されるように、主ＨＤＤ１０と選択された副ＨＤＤ１６のそれぞれのデータにはトランスポートパケットの先頭にＡＴＳが付加されており、ＨＤＤが異なっていても論理的に連続なデータは、ＡＴＳが連続しているような記録を行うことができる。
【産業上の利用可能性】
【００２７】
本発明は、以上説明したように構成されているので、複数の記録装置を用いた場合であっても、低消費電力であり、かつ記録時及び再生時の記録装置の立ち上げ時間による待ち時間の問題のないコンテンツ記録・再生装置が提供され、よって、本発明はデジタル放送などを録画・再生したり、他の記録媒体や、インターネットやＬＡＮにより供給されたデジタルコンテンツを記録・再生するためのコンテンツ記録・再生装置に広く利用可能である。
【図面の簡単な説明】
【００２８】
【図１】本発明のコンテンツ記録・再生装置の好ましい実施の形態のブロック図である。
【図２】図１の実施の形態の動作例を示す模式図である。
【図３】図１の実施の形態の他の動作例を示す模式図である。
【図４】図２の動作例（コピーワンス）に対応した記録時のフローチャートである。
【図５】図３の動作例（コピーフリー）に対応した記録時のフローチャートである
【図６】図１の実施の形態におけるコンテンツインデックステーブルの内容を示す図である。
【図７】図６のコンテンツインデックステーブルの内容の具体例を示す図である。
【図８】図１の実施の形態の再生時のフローチャートである。
【図９】図２の動作例（コピーワンス）に対応した記録時の主ＨＤＤと副ＨＤＤへの記録の態様を示す模式図である。
【図１０】図２の動作例（コピーワンス）に対応した記録後と再生中断後のデータの主ＨＤＤと副ＨＤＤへの格納状態の変遷を示す模式図である。
【図１１】図３の動作例（コピーフリー）に対応した記録後と再生中断後のデータの主ＨＤＤと副ＨＤＤへの格納状態の変遷を示す模式図である。
【符号の説明】
【００２９】
１０  主ＨＤＤ（第１記録装置）
１２、１４、１６  副ＨＤＤ（第２記録装置）
１０Ａ  コンテンツインデックステーブル
１８  ＡＴＡ切替スイッチ
２０  制御部（電源制御部を除く部分が記録・再生制御手段を構成する）  
２２  電源
２４、２６、２８  電源スイッチ
３０  ストリーム入力部
３２  ストリームコピー部
３４、３６  ＡＴＡ制御部
３８  電源制御部（電源スイッチと共に電源供給制御手段を構成する）
４０  映像音声出力部
４２  ストリームデコーダ部
４４  ＣＰＵ（中央演算処理装置）
４６  メモリ
５０  コンテンツの時間的先頭部分
５２  コンテンツのレジュームポイント
【図１】
2009193628.tif 000003
【図２】
2009193628.tif 000004
【図３】
2009193628.tif 000005
【図４】
2009193628.tif 000006
【図５】
2009193628.tif 000007
【図６】
2009193628.tif 000008
【図７】
2009193628.tif 000009
【図８】
2009193628.tif 000010
【図９】
2009193628.tif 000011
【図１０】
2009193628.tif 000012
【図１１】
2009193628.tif 000013